(57)【要約】【課題】  置き忘れを防止する忘れ物防止トレイとその設置構造を提供する。【解決手段】  本発明の忘れ物防止トレイは、扉又は袖パネルに設けられた錠よりも上側に固定される固定プレートと小物類を載せる載せ台を備えている。載せ台は固定プレートに近づく方向と固定プレートから離れる方向に回動できるように固定プレートに連結されている。載せ台は錠の上側又は上側及び手前側に被さる使用位置と、錠の上側又は上側及び手前側に被さらない起立位置の間で回動できるようにしてある。本発明の忘れ物防止トレイの設置構造は、忘れ物防止トレイの固定プレートが扉又は袖パネルの前記錠の上側に取り付けられ、忘れ物防止トレイの載せ台が、使用位置で錠の上側又は上側及び手前側に被さるようにしたものである。【選択図】図１
2020146395.tif 000002
【特許請求の範囲】
【請求項１】
扉用の錠を備えた扉又は袖パネルに取り付けて使用する忘れ物防止トレイにおいて、
前記扉又は袖パネルに設けられた錠よりも上側に固定される固定プレートと小物類を載せる載せ台を備え、
前記載せ台は前記固定プレートに近づく方向と固定プレートから離れる方向に回動できるように固定プレートに連結され、
前記載せ台は、前記錠の上側又は上側及び手前側に被さる使用位置と、前記錠の上側又は上側及び手前側に被さらない起立位置の間で回動可能である、
ことを特徴とする忘れ物防止トレイ。
【請求項２】
請求項１記載の忘れ物防止トレイにおいて、
載せ台が連結手段を介して固定プレートに連結された、
ことを特徴とする忘れ物防止トレイ。
【請求項３】
請求項１又は請求項２記載の忘れ物防止トレイにおいて、
固定プレートに、載せ台の一部が扉又は袖パネルに接触するのを防止する接触防止部が設けられた、
ことを特徴とする忘れ物防止トレイ。
【請求項４】
請求項１から請求項３のいずれか１項に記載の忘れ物防止トレイにおいて、
固定プレートと載せ台とが弾性部材を備えた連結手段で連結され、
前記載せ台は、前記弾性部材によって扉側又は袖パネル側に立ち上がる方向に付勢されている、
ことを特徴とする忘れ物防止トレイ。
【請求項５】
扉用の錠を備えた扉又は袖パネルへの忘れ物防止トレイの設置構造において、
前記忘れ物防止トレイが請求項１から請求項４のいずれか１項に記載の忘れ物防止トレイであり、
前記忘れ物防止トレイの固定プレートが前記扉又は袖パネルの前記錠の上側に取り付けられ、
前記忘れ物防止トレイの載せ台は、使用位置で前記錠の上側又は上側及び手前側に被さる、
ことを特徴とする忘れ物防止トレイの設置構造。
【請求項６】
請求項５記載の忘れ物防止トレイの設置構造において、
錠がスライド錠である、
ことを特徴とする忘れ物防止トレイの設置構造。
【発明の詳細な説明】
【技術分野】
【０００１】
本発明は、個室の扉や袖パネルに設置して、スマートフォンや携帯電話、財布といった各種小物（以下「小物類」という）の置き忘れを防止する忘れ物防止トレイと、その忘れ物防止トレイの設置構造に関する。
【背景技術】
【０００２】
近年、トイレ等の個室内に小物類を置き忘れる事案が増加している。
【０００３】
このような置き忘れを防止する一案として、小物類を載せることのできる折り畳み式棚が提案されている（特許文献１）。この折り畳み式棚は、壁（袖パネル）に突設された取付け軸に設けられた載せ台を、その取付け軸を回転軸として扉側に倒すことによって、その載せ台の上に小物類を載せられるようにしたものである。
【０００４】
置き忘れを防止する他の案として、扉の内側面に取り付けられた本体と、当該本体と係合する係合具を備え、本体に物を載置可能な載置部を備えたドア錠が提案されている（特許文献２）。このドア錠は、解錠操作する際等に使用者の視界に入るようにして、載置した物の置き忘れを防止しようとするものである。
【先行技術文献】
【特許文献】
【０００５】
【特許文献１】特開２００６−２６３４３９号公報
【特許文献２】特開２００６−２８９００号公報
【発明の概要】
【発明が解決しようとする課題】
【０００６】
しかし、前記特許文献１の折り畳み式棚は、使用時に載せ台が袖パネルと扉の双方に跨がるため錠と同様の役割を果たす。このため、個室が空いている状態（使用可能な状態）で載せ台が不用意に倒れると、施錠されたのと同様の状態となり、本来は使用できるはずの個室が使えなくなるという不都合が生じる。
【０００７】
前記特許文献２のドア錠では、前記ドア錠を既設の扉に設置するためには既設扉から錠を外して付け替えなければならず、既存の錠をそのまま利用することができないという不都合がある。また、載置部が破損或いは欠損等した場合に、載置部だけを交換することはできず、新たなドア錠に交換しなければならない（ドア錠自体を交換しなければならない）という不都合もある。
【０００８】
本発明の解決課題は、個室内での小物類の置き忘れを防止することができ、前記各不都合のない忘れ物防止トレイと、当該忘れ物防止トレイの設置構造を提供することにある。
【課題を解決するための手段】
【０００９】
［忘れ物防止トレイ］
本発明の忘れ物防止トレイは、扉用の錠を備えた扉又は袖パネルに取り付けて使用するものであって、扉又は袖パネルに設けられた錠よりも上側に固定される固定プレートと小物類を載せる載せ台を備えている。載せ台は固定プレートに近づく方向と固定プレートから離れる方向に回動できるように固定プレートに連結されている。載せ台は錠の上側又は上側及び手前側に被さる使用位置と、錠の上側又は上側及び手前側に被さらない起立位置の間で回動できるようにしてある。
【００１０】
［忘れ物防止トレイの設置構造］
本発明の忘れ物防止トレイの設置構造は、前記忘れ物防止トレイの、扉用の錠を備えた扉又は袖パネルへの設置構造であって、忘れ物防止トレイの固定プレートは扉又は袖パネルの前記錠の上側に取り付けられ、忘れ物防止トレイの載せ台が、使用位置で前記錠の上側又は上側及び手前側に被さるようにしたものである。
【００１１】
なお、本願において「使用位置」とは、小物類を載置可能な位置であって、固定プレートが取り付けられた扉又は袖パネルの手前側に倒伏した位置をいう。「使用位置」にある載せ台は、固定プレートが取り付けられた扉又は袖パネルと直交又は略直交する角度で扉又は袖パネルの手前側に倒伏した状態となる。
【００１２】
本願において、「起立位置」とは、固定プレートが取り付けられた扉又は袖パネルと対向するように立ち上がった位置をいう。「起立位置」にある載せ台は、その小物類を載せる側の面が、固定プレートが取り付けられた扉又は袖パネルと対向するように立ち上がった状態となる。
【００１３】
本願において、「起立方向」とは、載せ台が使用位置から起立位置に立ち上がる方向をいい、「倒伏方向」とは載せ台が起立位置から使用位置に倒れる方向をいう。
【００１４】
本願において、「固定プレートに近づく方向」とは、載せ部の小物類を載せる面と扉又は袖パネルの表面とが近づく方向をいい、「固定プレートから離れる方向」とは、載せ部の小物類を載せる面と扉又は袖パネルの表面とが離れる方向をいう。
【発明の効果】
【００１５】
［忘れ物防止トレイ］
本発明の忘れ物防止トレイは、次の効果を奏する。
（１）使用位置にある載せ台が錠の上側又は錠の上側及び手前側に被さるようにしてあり、載せ台上の小物類を取りあげて載せ台を起立位置に回動させない限り解錠操作をすることができないため、小物類の置き忘れを確実に防止することができる。
（２）載せ台は固定プレートに近づく方向と固定プレートから離れる方向に回動可能に連結されているため、空室の状態で載せ台が使用位置に倒れても、これによって施錠されることはなく、空室の個室が使用できなくなるという不都合がない。
（３）本発明の忘れ物防止トレイは、錠とは別体のものであるため、既設の錠を付けたまま利用することができる。また、載せ台が破損或いは欠損等した場合には、忘れ物防止トレイだけを交換することができる。
【００１６】
［忘れ物防止トレイの設置構造］
本発明の忘れ物防止トレイの設置構造は、載せ台が錠の上側又は上側及び手前側に被さるようにしてあり、載せ台上の小物類を取りあげて載せ台を起立位置に回動させない限り解錠操作ができないため、小物類の置き忘れを確実に防止することができる。
【図面の簡単な説明】
【００１７】
【図１】本発明の忘れ物防止トレイを取り付けた扉の一例を示すものであって、載せ台が起立位置にあるときの説明図。
【図２】本発明の忘れ物防止トレイを取り付けた扉の一例を示すものであって、載せ台が使用位置にあるときの説明図。
【図３】図１に示す忘れ物防止トレイの拡大図。
【図４】図２に示す忘れ物防止トレイの拡大図。
【図５】本発明の忘れ物防止トレイの一例を示す分解説明図。
【図６】図５に示す忘れ物防止トレイの組立図であって、（ａ）は斜視図、（ｂ）は正面図。
【図７】本発明の忘れ物防止トレイを扉又は袖パネルに取り付けた状態を示すものであって、（ａ）は図１から図６に示す忘れ物防止トレイを取り付けた場合の側面図、（ｂ）は載せ部よりも扉側に前側覆い部を備えた忘れ物防止トレイを取り付けた場合の側面図、（ｃ）は載せ部の自由端側に前側覆い部を備えた忘れ物防止トレイを取り付けた場合の側面図。
【図８】本発明の忘れ物防止トレイの他例を示す分解説明図。
【図９】本発明の忘れ物防止トレイの他例を示す分解説明図であって、（ａ）は分解斜視図、（ｂ）は分解正面図。
【図１０】本発明の使用例の一例を示すものであって、（ａ）はスライド錠が解錠位置にあり、忘れ物防止トレイが起立位置にある状態の正面図、（ｂ）はスライド錠が施錠位置にあり、忘れ物防止トレイが起立位置にある状態の正面図、（ｃ）はスライド錠が施錠位置にあり、忘れ物防止トレイが使用位置にある状態の正面図、（ｄ）は使用位置に倒された忘れ物防止トレイ上に小物類が載せられた状態の正面図。
【発明を実施するための形態】
【００１８】
（実施形態）
本発明の忘れ物防止トレイ及び忘れ物防止トレイの設置構造の一例を、図面を参照して説明する。本発明の忘れ物防止トレイ１は、図１〜図４のように、個室の扉Ｄ又は袖パネルＳに取り付けて使用するものである。以下では、忘れ物防止トレイ１を扉Ｄに取り付けて使用する場合を一例として説明する。図示する扉Ｄは開き戸であり、扉Ｄに取り付けられた錠はスライド錠５である。
【００１９】
一例として図１〜図４に示す忘れ物防止トレイ１は、扉Ｄに取り付ける固定プレート２と、小物類Ｘを載せる載せ台３と、固定プレート２と載せ台３とを連結する連結手段４を備えている。
【００２０】
前記固定プレート２は、扉Ｄへの取付け時に扉Ｄに宛がう部分である。一例として図５に示す固定プレート２は、横長方形状のベース部２ａと、ベース部２ａに設けられたベース側連結部２ｂを備えている。この実施形態では、ベース側連結部２ｂとして、ベース部２ａの長手方向両端部に前向きに突設されたフランジを設けている。両ベース側連結部２ｂには連結手段４の連結軸４ａを挿通するための軸挿通孔２ｃが設けられている。
【００２１】
この実施形態のベース側連結部２ｂは、ベース部２ａの高さ方向の中央よりも下側に設けられている。ベース側連結部２ｂよりも下側の部分を含む固定プレート２の下側の部分（図５のハッチング部分）は、載せ台３が扉Ｄに接触するのを防止する接触防止部２ｄである。載せ台３は繰り返し使用されるため、その一部が扉Ｄに接触する構成とした場合に扉Ｄに接触痕がつく。この実施形態のように接触防止部２ｄを設けて載せ台３の下端部が扉Ｄに接触しないような構成とすることで、扉Ｄに接触痕がつくのを防止することができる。
【００２２】
前記載せ台３は、小物類Ｘを載せる板状の部材である。一例として図５に示す載せ台３は、横長方形状の載せ部３ａと、固定プレート２との連結に用いる載せ台側連結部３ｂを備えている。この実施形態の載せ部３ａは縦５５ｍｍ×横１０５ｍｍ×厚さ６ｍｍ程度としてあるが、この寸法は一例であり、載せ部３ａはこれより大きくすることも小さくすることもできる。また、前記載せ部３ａの形状も一例であり、載せ部３ａはこれ以外の形状、例えば、図７（ｂ）（ｃ）に示すような、スライド錠５の手前側に被さる前側覆い部３ｆを備えた形状とすることもできる。
【００２３】
載せ部３ａの周縁には、クッション材６を取り付けてある。クッション材６はゴムやシリコンなどの弾性を備える材質製のを用いることができる。クッション材６は必要に応じて設ければよく、不要な場合には省略することもできる。
【００２４】
前記載せ台側連結部３ｂは、固定プレート２との連結に用いる部分であり、横長の基部３ｃと、当該基部３ｃの長手方向両端に前方側に立ち上げられた二枚の取付け片（フランジ）３ｄを備えている。両取付け片３ｄの間隔は、両ベース側連結部２ｂの間隔よりも若干広くしてあり、取付け片３ｄの間にベース側連結部２ｂが収まるようにしてある。両取付け片３ｄには、連結手段４の連結軸４ａを挿通するための軸挿通孔３ｅが設けられている。
【００２５】
前記連結手段４は、固定プレート２と載せ台３を連結するものである。一例として図５に示す連結手段４は、連結軸４ａと付勢スプリング４ｂと止め輪４ｃを備えている。連結軸４ａは、突出部２ｃの軸挿通孔２ｃと取付け片３ｄの軸挿通孔３ｅに差し込んだときに、その両端又はいずれか一端が取付け片３ｄの外側に突出する、又は取付け片３ｄの端面と面一になる程度の長さを有する細長の丸棒である。連結軸４ａの長手方向両端寄りの位置には、止め輪４ｃを嵌合する嵌合溝４ｄが設けられている。
【００２６】
前記付勢スプリング４ｂは、載せ台３を起立方向に付勢するための部材である。この実施形態では、付勢スプリング４ｂが二本設けられている。付勢スプリング４ｂは二本より多くすることも少なくすることもできる。この実施形態の付勢スプリング４ｂはリング部４ｆと直線部４ｇを備えている。リング部４ｆは連結軸４ａに装着され、直線部４ｇが固定プレート２に、リング部４ｆ側の端部が載せ台側連結部３ｂに宛がわれている。
【００２７】
前記止め輪４ｃは連結軸４ａの抜けを防止するための部材である。止め輪４ｃは開口部を備えたＣ字状の部材であり、当該開口部側から連結軸４ａの嵌合溝４ｄに嵌合することで連結軸４ａに固定される。この実施形態では止め輪４ｃが二つ設けられている。
【００２８】
前記連結手段４は一例であり、スプリング付の蝶番等、これ以外のものを用いることもできる。連結手段４には付勢スプリング４ｂのような弾性部材を備えないものを用いることもできる。この場合も、載せ台３を起立位置で停止させられるようなものを用いるのが好ましい。なお、連結手段４として弾性部材を備えないものを用いる場合、載せ台３は手動で起立位置まで立ち上げることとなる。
【００２９】
図６（ａ）（ｂ）に示すように、前記固定プレート２と載せ台３は、両取付け片３ｄの間に両ベース側連結部２ｂが収まるように配置され、両ベース側連結部２ｂの軸挿通孔２ｃと取付け片３ｄの軸挿通孔３ｅに連結軸４ａが挿通され、その連結軸４ａのスプリング装着部４ｅに付勢スプリング４ｂが装着されている。連結軸４ａのうち、両ベース側連結部２ｂの内側に位置する両嵌合溝４ｄのそれぞれには、連結軸４ａの抜けを防止する止め輪４ｃが装着されている。載せ台３は、付勢スプリング４ｂによって起立方向に付勢され、載せ台３から小物類Ｘが取り除かれたときに、その付勢スプリング４ｂの付勢力で自動的に起立位置まで復帰するようにしてある。
【００３０】
前記忘れ物防止トレイ１は、スライド錠５の上側の位置に固定される。このように取り付けられた忘れ物防止トレイ１は、載せ台３を使用位置まで倒したときに、図７（ａ）のように、当該載せ台３がスライド錠５の上側に被さり、その状態ではスライド錠５を操作できない又は操作しにくい構造となる。
【００３１】
載せ台３は、図７（ｂ）（ｃ）のように、スライド錠５の上側のみならず、スライド錠５の上側及び手前側に被さるようにすることもできる。いずれの場合も、スライド錠５を操作して解錠するには、載せ台３から小物類Ｘを取り上げて、スライド錠５の上側又は上側及び手前側に被さった載せ台３を起立位置まで復帰させる必要があり、利用者にこの動作をさせることによって、小物類Ｘの置き忘れを効果的に防止することができる。
【００３２】
なお、載せ台３がスライド錠５の上側や手前側に被さらない位置に忘れ物防止トレイ１を設けた場合、スライド錠５の解錠操作時に当該載せ台３に小物類Ｘを載せることが可能であるため、解錠操作に際して載せ台３に小物類Ｘを載せ、そのまま小物類Ｘを置いたまま退室するおそれがある。これに対し、本発明の忘れ物防止トレイでは、解錠操作に際しては、必ず載せ台３の上の小物類Ｘを取らなければならない（載せ台３上に置いておくことができない）ため、忘れ物を確実に防止することができる。
【００３３】
（その他の実施形態）
前記実施形態では、ベース側連結部２ｂがフランジの場合を一例としているが、図８のように、固定プレート２に形成された貫通孔２ｅをベース側連結部２ｂとすることもできる。図８に示す例では、固定プレート２を前記実施形態の場合よりも肉厚とし、その固定プレート２の長手方向に沿って貫通孔２ｅを設けている。この貫通孔２ｅは、連結軸４ａが通過できる広さとしてある。
【００３４】
図８に示す固定プレート２と載せ台３は、両取付け片３ｄの間に配置された固定プレート２の貫通孔２ｅと取付け片３ｄの軸挿通孔３ｅに連結軸４ａが挿通されることによって連結されている。固定プレート２と両取付け片３ｄの間に位置する両嵌合溝４ｄには止め輪４ｃが装着され、連結軸４ａの抜けが防止されている。
【００３５】
図示は省略しているが、図８に示す例においても、付勢スプリング４ｂ等の弾性部材によって載せ台３を起立方向に付勢しておき、載せ台３から小物類Ｘが取り除かれたときに、その付勢スプリング４ｂの付勢力で自動的に起立位置まで復帰するようにすることができる。また、図８に示す例においても、固定プレート２に前記実施形態の接触防止部２ｄに相当する構成を設けることができる。
【００３６】
前記実施形態では、固定プレート２と載せ台３を連結手段４で連結する場合を一例としているが、固定プレート２と載せ台３は、連結手段４を使わずに連結することもできる。例えば、図９（ａ）（ｂ）に示すように、固定プレート２の側面に設けた凹部２ｆに、載せ台３に設けた凸部３ｇを嵌合させることによって、載せ台３を固定プレート２に回動可能に連結することができる。図９（ａ）（ｂ）に示す例では、固定プレート２の表面に段差部２ｇを設けて、倒伏方向に回動した載せ台３がそれ以上回動しないようにしている。載せ台３は、段差部２ｇ以外の方法で一定以上回転しないようにすることもできる。
【００３７】
図９（ａ）（ｂ）に示す例では、固定プレート２に凹部２ｆを設け、載せ台３に凸部３ｇを設ける場合を一例としているが、凸部３ｇに相当する構成を固定プレート２側に、凹部２ｆに相当する構成を載せ台３側に設けることもできる。
【００３８】
いずれの場合も、図示しない付勢スプリング４ｂ等の弾性部材で載せ台３を起立方向に付勢しておき、載せ台３から小物類Ｘが取り除かれたときに、その付勢スプリング４ｂの付勢力で自動的に起立位置まで復帰するようにすることができる。また、いずれの場合においても、固定プレート２に前記実施形態の接触防止部２ｄに相当する構成を設けることができる。
【００３９】
前記実施形態では、扉Ｄに取り付けられた錠がスライド錠５の場合を一例としているが、本発明の忘れ物防止トレイ１は、スライド錠５以外の錠を備えた扉Ｄに取り付けて使用することもできる。同様に、本発明の忘れ物防止トレイの設置構造も、スライド錠５以外の錠を備えた構造とすることもできる。なお、本発明の忘れ物防止トレイ１は、袖パネルＳに取り付けて使用することができる。本願の袖パネルＳにはドア枠も含まれる。
【００４０】
本発明の忘れ物防止トレイ１はトイレブースのほか、衣料品店の試着室や運動施設の更衣室といった各種個室の扉Ｄに取り付けて使用することができる。試着室に設けた場合には、メガネや腕時計等の置き忘れを、更衣室に設けた場合には、水泳帽やゴーグル、心拍計等の置き忘れを防止することができる。
【００４１】
（使用方法：忘れ物防止トレイに小物類を載せる場合）
本発明の忘れ物防止トレイ１に小物類Ｘを載せる場合は、次のようにする。
（１）解錠位置にあるスライド錠５（図１０（ａ））を施錠方向（図中右方向）にスライドさせて施錠する（図１０（ｂ））。
（２）施錠後、載せ台３を使用位置まで倒す（図１０（ｃ））。
（３）使用位置まで倒した載せ台３の載せ部３ａに小物類Ｘを載せる。
【００４２】
（使用方法：扉を解錠して退出する場合）
本発明の忘れ物防止トレイ１を備えた扉Ｄを解錠して退出する場合は、次のようにする。
（１）載せ台３（図１０（ｄ））から小物類Ｘを取り上げ（図１０（ｃ））、載せ台３を起立位置まで復帰させる（図１０（ｂ））。
（２）載せ台３が起立位置に復帰した後、スライド錠５を解錠方向（図中左方向）にスライドさせて解錠し（図１０（ａ））、扉Ｄを開けて退出する。
【産業上の利用可能性】
【００４３】
本発明の忘れ物防止トレイ１は、トイレブースや衣料品店の試着室、運動施設の更衣室をはじめ、各種個室の扉Ｄに取り付けて使用することができる。
【符号の説明】
【００４４】
１      忘れ物防止トレイ
２      固定プレート
２ａ    ベース部
２ｂ    ベース側連結部
２ｃ    軸挿通孔
２ｄ    接触防止部
２ｅ    貫通孔
２ｆ    凹部
２ｇ    段差部
３      載せ台
３ａ    載せ部
３ｂ    載せ台側連結部
３ｃ    基部
３ｄ    取付け片
３ｅ    軸挿通孔
３ｆ    前側覆い部
３ｇ    凸部
４      連結手段
４ａ    連結軸
４ｂ    付勢スプリング
４ｃ    止め輪
４ｄ    嵌合溝
４ｅ    スプリング装着部
４ｆ    リング部
４ｇ    直線部
５      スライド錠
６      クッション材
Ｄ      扉
Ｓ      袖パネル
Ｘ      小物類
【図１】
2020146395.tif 000003
【図２】
2020146395.tif 000004
【図３】
2020146395.tif 000005
【図４】
2020146395.tif 000006
【図５】
2020146395.tif 000007
【図６】
2020146395.tif 000008
【図７】
2020146395.tif 000009
【図８】
2020146395.tif 000010
【図９】
2020146395.tif 000011
【図１０】
2020146395.tif 000012